(57)【要約】【課題】  手に持って文字を書こうとすると、力を入れにくく文字を書きにくいこと。【解決手段】  この筆記具１００は、左右側の本体片１を回転軸２を中心として回転させ、前記凸部５ａを前記凹部５ｂに嵌め込み、前記着脱部５どうしを連結する。この連結により、同図に示すように、筆記具１００全体が中空の三角柱形状となる。三角形状になることで手に持ち易くなるので、力を入れて書けるようになる。また、前記着脱部５を解除して広げると再び平面状態に戻る。【選択図】  図１
2019202447.tif 000002
【特許請求の範囲】
【請求項１】
短冊状の薄板からなる複数の本体片と、
複数の本体の少なくとも一つの長手方向に設けたペン部と、
本体片どうしを長手方向に平行に且つ回転可能に連結する回転部材と、
互いに連結された本体片の最も左側と右側の前記回転部材が設けられていない長手方向の辺に設けた当該各辺どうしを着脱する着脱手段と、
を備えたことを特徴とする筆記具。
【請求項２】
前記本体片の表面又は裏面に印刷面を設けたことを特徴とする請求項１に記載の筆記具。
【発明の詳細な説明】
【技術分野】
【０００１】
本発明は、平面状態から立体状態にその形態を変更できる筆記具に関するものである。
【背景技術】
【０００２】
従来から、特許文献１に記載されているような扁平筆記具が知られている。この扁平筆記具は、断面形状が平になっている帯状の本体の長手方向中心にペン軸を設けた構成である。この扁平筆記具を手帳に挟むと、扁平筆記具が薄いため当該手帳が膨らみ難い。
【先行技術文献】
【特許文献】
【０００３】
【特許文献１】特表２０１４−５１６８２８号公報
【発明の概要】
【発明が解決しようとする課題】
【０００４】
しかしながら、上記従来の扁平筆記具によれば、全体が扁平形状であることから手に持って文字を書こうとすると、力を入れにくく文字を書きにくいという問題点があった。本発明は、係る問題点を解決するためになされたものである。
【課題を解決するための手段】
【０００５】
本発明に係る筆記具は、短冊状の薄板からなる複数の本体片と、複数の本体の少なくとも一つの長手方向に設けたペン部と、本体片どうしを長手方向に平行に且つ回転可能に連結する回転部材と、互いに連結された本体片の最も左側と右側の前記回転部材が設けられていない長手方向の辺に設けた当該各辺どうしを着脱する着脱手段とを備えたことを特徴とする。
【０００６】
上記発明において、前記本体片の表面又は裏面に印刷面を設けても良い。
【図面の簡単な説明】
【０００７】
【図１】本発明の実施の形態１に係る筆記具を示す平面図である。
【図２】図１に示した筆記具の上面図である。
【図３】図１に示した筆記具の底面図である。
【図４】展開した状態で筆記具を手帳に挟む状態を示す説明図である。
【図５】立体状態の筆記具を示す説明図である。
【図６】立体状態の筆記具を示す説明図である。
【図７】本発明の実施の形態２に係る筆記具を示す平面図である。
【図８】図７に示した筆記具の上面図である。
【図９】図７に示した筆記具の底面図である。
【図１０】立体状態の筆記具を示す説明図である。
【発明を実施するための形態】
【０００８】
（実施の形態１）
図1は、本発明の実施の形態１に係る筆記具を示す平面図である。図２は上面図、図３は底面図である。この筆記具１００は、板状かつ帯状の本体片１を３つ並べ、各本体片１どうしを回転軸２により連結した構成である。中央の本体片１の一端は、三角形状となっており、内部に長手方向に貫通する穴３が形成される。この穴３には、ペン部４（例えばボールペン又はシャープペン）のペン軸が内装される。ペン先４ａは、当該本体片１の三角形状の先端から突出する。このペン先４ａには、保護用のキャップが設けられる（図示省略）。
【０００９】
また、左右の本体片１のうち、回転軸２が設けられていない長手方向の辺には、着脱部５が設けられている。この着脱部５は、左側の本体片１の一辺に凸部５ａを設け、右側の本体片１の一片に凹部５ｂを設け、前記凸部５ａが前記凹部５ｂに嵌って固定される構造である。
【００１０】
この筆記具１００は、展開状態では薄板状になっているので、図４に示すように、手帳Ｔに挟んでも、当該手帳が膨らみ難い。また、手帳ＴのポケットＰにも挟んでおけるため、筒状のペン差しが設けられていない手帳にも使用できる。
【００１１】
図５及び図６は、立体状態の筆記具を示す説明図である。左右側の本体片１を回転軸２を中心として回転させ、前記凸部５ａを前記凹部５ｂに嵌め込み、前記着脱部５どうしを連結する。この連結により、同図に示すように、筆記具１００全体が中空の三角柱形状となる。三角形状になることで手に持ち易くなるので、力を入れて書けるようになる。また、前記着脱部５を解除して広げると再び平面状態に戻る。
【００１２】
以上、本発明に係る筆記具１００によれば、手帳に挟んでも膨らみが少なく、且つ、立体状態に変形することから通常のペンとして使用できる。
【００１３】
（実施の形態２）
図７は、本発明の実施の形態２に係る筆記具を示す平面図である。図８は上面図、図９は底面図である。この筆記具２００は、板状かつ帯状の本体片１を３つ並べ、各本体片１どうしを平行に並べて各本体片１の一面側に可撓性のシート２０１を張り付けた構成である。本体片１どうしの間に渡されたシート２０１が回転部位２０２となる。中央の本体片１の一端は、三角形状となっており、内部に長手方向に貫通する穴３が形成される。この穴３には、ペン部４のペン軸が内装される。ペン部は、例えば、ボールペン又はシャープペンである。また、スマートフォン等の携帯型端末の液晶画面を操作するタッチペンであっても良い。ペン先４ａは、当該本体片１の三角形状の先端から突出する。このペン先４ａには、保護用のキャップが設けられる（図示省略）。
【００１４】
本体片１と隣接する本体片１との間隔は、シート２０１を折り曲げて回転させたときに本体片１同士の端縁が干渉しないように、一定の間隔を保持するものとする。また、左右の本体片１のうち、回転部位２０２が設けられていない長手方向の辺には、着脱部５が設けられている。この着脱部５は、左側の本体片１の一辺に凸部５ａを設け、右側の本体片１の一片に凹部５ｂを設け、前記凸部５ａが前記凹部５ｂに嵌って固定される構造である。
【００１５】
この筆記具２００は、上記同様に展開状態では薄板状になっているので、手帳に挟んでも、当該手帳が膨らみ難い。特に、シート２０１により本体片１を連結する構成であるため、本体片１をきわめて薄く構成できる。また、手帳のポケットにも挟んでおけるため、筒状のペン差しが設けられていない手帳にも使用できる。
【００１６】
図１０は、立体状態の筆記具を示す説明図である。左右側の本体片１を回転部位２０２を中心として回転させ、前記凸部５ａを前記凹部５ｂに嵌め込み、前記着脱部５どうしを連結する。この連結により、同図に示すように、筆記具２００全体が中空の三角柱形状となる。三角形状になることで手に持ち易くなるので、力を入れて書けるようになる。また、前記着脱部５を解除して広げると再び平面状態に戻る。
【００１７】
以上、本発明に係る筆記具２００によれば、簡単な構造で実現でき、手帳に挟んでも膨らみが少なく、且つ、立体状態に変形することから通常のペンとして使用できる。また、シート２０１に布材や革材を用いることで、やわらかい質感を出すことができる。
【００１８】
上記実施の形態１および２の本体片１（本体片１に貼着したシート２０１の面を含む）にデザインや広告等を印刷するようにしても良い。具体的には、本体片１の表裏面に印刷面３０を設けるようにする（図中、印刷面３０の例を点線で示す）。本発明に係る筆記具２００は、展開状態で表裏面に印刷面３０を設けることができるので、ノベルティ商品等の広告媒体に適したものとなる。
【００１９】
また、立体状態で内側になる裏面３１にのみ印刷面３０を設けることもできる。このようにすれば、筆記具２００を使用する状態である立体状態では、広告等の印刷物を内側に隠すことができる。
【００２０】
なお、上記実施の形態１および２では、３つの本体片１を用いて立体構造を形成したが、４つ以上の本体片１を用いて立体構造を形成しても良い。好ましくは、３つ以上８つ以下の本体片１により立体構造を構成するようにする。
【符号の説明】
【００２１】
１００  筆記具
１  本体片
２  回転軸
３  穴
４  ペン部
５  着脱部
【図１】
2019202447.tif 000003
【図２】
2019202447.tif 000004
【図３】
2019202447.tif 000005
【図４】
2019202447.tif 000006
【図５】
2019202447.tif 000007
【図６】
2019202447.tif 000008
【図７】
2019202447.tif 000009
【図８】
2019202447.tif 000010
【図９】
2019202447.tif 000011
【図１０】
2019202447.tif 000012